(57)【要約】      （修正有）【課題】水平方向からの雨交じりの強風に対しての防御性能を向上させること。【解決手段】筐体１の前面扉面２及び両側面に対し、各々の面から隔離して設けられた日除け板７ａ、７ｂ、７ｃの上部に筐体天井面から天井板８上面までの段差を埋める風除け部を設け、さらに筐体裏面には天井板８と筐体天井面５との間隙を埋める風除け部７ｄ１を天井板８に設けた屋外設置用筐体１を提供する。【選択図】      図１
2004319539.tif 000002
【特許請求の範囲】
【請求項１】
屋外に設置される無停電電源装置等の筐体において、
左右両側面、正面、背面の少なくとも１面には、各々の面から隔離して設けられた日除け板が配され、天井面の上方には、該天井面から隔離して設けられた天井板が配され、前記天井面は、該天井面中に配された空気排気口と、排気口の開口部周囲に上方向に天井面から連接して鉛直方向に立ち上がる堰と、該堰の上端から連接して配された外側水平方向への折り返しとを備え、前記天井板は、該天井板の端部から鉛直方向に下降する折り返し部を備え、前記日除け板は、該日除け板の上部に筐体の天井面に係る基準面から天井板の上面までの段差分を覆う風除け部を備えることを特徴とする屋外設置用筐体。
【請求項２】
前記風除け部は、前記日除け板の上端から上方鉛直方向に配されていることを特徴とする請求項１記載の屋外設置用筐体。
【請求項３】
前記風除け部は、前記日除け板の上端から筐体の内部方向に斜度θ内の関係を有して配されたことを特徴とする請求項１記載の屋外設置用筐体。
【請求項４】
前記日除け板及び前記天井板とを一体で構成したことを特徴とする請求項１乃至請求項３のうち、少なくともいずれか１に記載の屋外設置用筐体。
【発明の詳細な説明】
【０００１】
【発明の属する技術分野】
本発明は、ＣＡＴＶの中継装置等に使用する無停電電源装置のような屋外に設置される筐体の構造に関し、特に、強風を伴った雨水の侵入防止のための風除け部を有する屋外設置用筐体に関する。
【０００２】
【従来の技術】
ＣＡＴＶ用の中継装置等に使用される無停電電源装置のような屋外に設置される筐体には、内部機器等を温度上昇から保護するべく、日射をさえぎる日除け板を設けた構造のものが使用されている（例えば、特許文献１参照。）。
【０００３】
図２１は、従来の屋外設置用筐体の形状を示したもので、（ａ）は正面図、（ｂ）は右側面図である。屋外設置用筐体は、筐体１に対して、内部保守点検の為のハンドル６により開閉可能な前面扉２が設けられ、前面扉面及び両側面に対して、各々の面から隔離して設けられた日除け板７、天井面５から隔離して設けられた天井板８を有している。
【０００４】
図２２（ａ）は、従来の屋外設置用筐体の天井面における排気口部分を含む上面全体の図２１（ｂ）のＥ−Ｅ断面図である。筐体天井面５には、筐体内部で発生する熱や自然空冷ないしファンによる強制空冷で発生した空気流れの排出用としての排気口３が設けられており、排気口周囲からの雨水や異物の浸入を防ぐため、排気口３の開口部周囲に上方向に天井面５から連接して鉛直方向に立ち上がる堰１１、さらには該堰１１の上端から連接して外側水平方向への折り返し１２が設けられている。
【０００５】
また、天井面５への日除け板を兼ねて、前記排気口３からの異物の侵入を防止すべく、天井板８の端部から鉛直方向に下降する折り返し部１３を有する。
【０００６】
また、日除け板７は、筐体側面を直射日光から防御して、内部機器への影響を低減するのに十分な、筐体の下部から筐体上部の基準面Ｂ（図２２（ｂ）参照）まで設けられる。
【０００７】
【特許文献１】
特開平７−５９１２４号公報（図１及び図２）
【０００８】
【発明が解決しようとする課題】
以上述べたように、従来屋外に設置される筐体１に付属している日除け板７は筐体１の側面を直射日光から防御すべく、筐体１側面の外形形状に合わせて製作され、筐体下部から筐体の上部の基準面Ｂまで設けられ、天井面５に形成された前記排気口周囲堰１１と外側への折り返しである堰周囲折り返し１２及び天井板折り返し１３の組み合わせにより、通常の風雨では雨水の侵入を防止することは可能である。しかしながら、水平方向からの雨交じりの強風に対しては防御が不十分となる場合がある。
【０００９】
即ち、図２２（ｂ）は、雨風の侵入方向を矢印で示した図２２（ａ）の部分拡大端面図であって、筐体１の天井面５の排気口部分から侵入しようとする風や雨のエネルギーの強さを表したものであり、天井板８から連なる折り返し部１３と天井面５との間隙から入り込もうとする水平方向のエネルギーは排気口周囲の堰１１と堰周囲の折り返し１２とにより分散され、弱められるが、風や雨のエネルギーの侵入方向によっては、天井板８と排気口周囲の折り返し１２との間から筐体内部へ侵入してしまう場合が存在する。
【００１０】
そこで、本発明は、上記のような課題を解決するためになされたものであって水平方向からの風の侵入を阻止し、雨水に対する防御性能を向上させることを目的とする。
【００１１】
【課題を解決するための手段】
本発明による屋外設置用筐体は、左右両側面、正面、背面の少なくとも１面には、各々の面から隔離して設けられた日除け板が配され、天井面の上方には、該天井面から隔離して設けられた天井板が配され、前記天井面は、該天井面中に配された空気排気口と、排気口の開口部周囲に上方向に天井面から連接して鉛直方向に立ち上がる堰と、該堰の上端から連接して配された外側水平方向への折り返しとを備え、前記天井板は、該天井板の端部から鉛直方向に下降する折り返し部を備え、前記日除け板は、該日除け板の上部に筐体の天井面に係る基準面から天井板の上面までの段差分を覆う風除け部を備えることを特徴とする。また、本発明による屋外設置用筐体の前記風除け部は、前記日除け板の上端から上方鉛直方向に配されていることを特徴とする。また、本発明による屋外設置用筐体の前記風除け部は、前記日除け板の上端から筐体の内部方向に斜度θ内の関係を有して配されたことを特徴とする。また、本発明による屋外設置用筐体の前記日除け板及び前記天井板とを一体で構成したことを特徴とする。
【００１２】
【発明の実施の形態】
以下図面を参照して本発明による風除け板を有する屋外設置用筐体の実施の形態について図１乃至図４を参照して説明する。尚、図２１及び図２２に示す従来の屋外設置用筐体と同一の構成及び機能を有する部分については、同じ符号を用いて説明する。図１及び図２は、本発明に係る筐体の第１の実施の形態を示したものであって、図１（ａ）は正面図、図２（ｂ）は右側面図、図３（ｃ）は平面図、図２（ａ）は左側面図、図２（ｂ）は背面図である。図３は、本発明に係る筐体の第１の実施の形態を示す図であって、（ａ）は、従天井面における排気口部分を含む上面全体の図１（ｂ）のＡ−Ａ断面図であり、（ｂ）は、雨風の侵入方向を矢印で示した（ａ）の部分拡大端面図である。図４は、本発明の第１の実施の形態を示す図であって、筐体の斜視図である。
【００１３】
筐体１の左右両側面に取り付けられた右側面日除け板７ｃ及び左側面日除け板７ａの上部、前面扉面に取り付けられた前面扉日除け板７ｂの上部に、筐体１の天井面５に係る基準面Ｂから天井板８の上面Ｊまでの段差分ｈを覆う左側面風除け部７ａ１、前面扉風除け部７ｂ１、右側面風除け部７ｃ１を設ける。また、筐体１の背面については、図２（ｂ）に示されているように、天井板８の後方に筐体１の天井面５に係る基準面Ｂ（図示せず）から天井板８上面Ｊ（図示せず）までの段差分ｈ（図示せず）を覆う天井板後部風除け部７ｄ１を配する。本実施の形態において、各々の日除け板７の基準面Ｂに係る上端から左側面風除け部７ａ１、前面扉風除け部７ｂ１及び右側面風除け部７ｃ１は、上方鉛直方向に配されており、日除け板７と一体構造となっている。また、天井板８の後方から下方鉛直方向に連なる天井板後部風除け部７ｄ１も、日除け板７と同様に一体構造となっている。
【００１４】
従って、本実施の形態に係る筐体においては、図３（ｂ）に示すように水平方向のエネルギーは風除け部７ｘ１により完全に遮ることが可能であって、前記天井板８に連なる折り返し部１３と天井面５との間隙から入り込もうとする水平方向のエネルギーは、風除け板７ｘ１と天井板８に連なる折り返し部１３との間隙を下方向に入り込むエネルギーのうち、風除け板７ｘ１と天井板８の各々の面に衝突して跳ね返されたものの一部分に過ぎず、そのエネルギーが天井面５に連なる排気口周囲の堰１１と該堰１１に連なる堰周囲の折り返し１２とによりさらに分散されて、弱められる為、天井板８と排気口周囲の折り返し１２との間隙から筐体内部への風雨の侵入を防止することが可能となる。
【００１５】
尚、従来技術に係る筐体と本発明の第１の実施の形態に係る筐体について、ＪＩＳ  Ｃ０９２０−１９９３「電気機械器具の防水試験及び固形物の侵入に対する保護等級」規格による防水試験を行った。図１１乃至図１５に従来技術に係る筐体について、保護等級４（防まつ形）の規格に係る成績証明書１４Ｙ−ＪＥＴ０２０８及び試験成績書０２ＴＲ−Ｙ１１０７を添付する。また、図１６乃至図２０に本願発明に係る筐体について、保護等級５（防噴流形）の規格に係る成績証明書１４Ｙ−ＪＥＴ０２１０及び試験成績書０２ＴＲ−Ｙ１１１３を添付する。
【００１６】
従来技術に係る筐体については、筐体の上方３００ｍｍの高さから、鉛直方向から両側１８０度までの全範囲に渡り、じょろ口を用いて、散水量１０Ｌ／ｍｉｎ、水圧５０ｋＰａの水を筐体に５分間散水した場合において、筐体の内部に浸水がないことが確認され、保護等級４（防まつ形）の規格に適合することが証明された。
【００１７】
これに対して、本願発明に係る筐体については、筐体から２．５ｍの位置から全ての方向に内径が６．３ｍｍのノズルを使用して、１２．５Ｌ／ｍｉｎの水を筐体に３分間注水した場合において、筐体内部に浸水がないことが確認され、従来技術の係る筐体が適合する保護等級４（防まつ形）より、防水機能が高い保護等級５（防噴流形）の規格に適合することが証明された。
【００１８】
次に本発明に係る第２の実施の形態について図５及び図６を用いて説明する。図５は、本発明に係る第２の実施の形態を示す図であって、（ａ）は正面図、（ｂ）は右側面図であり、図６は、本発明に係る筐体の第２の実施の形態を示す図であって、（ａ）は、天井面における排気口部分を含む上面全体の図５（ｂ）のＢ−Ｂ断面図であり、（ｂ）は、雨風の侵入方向を矢印で示した（ａ）の部分拡大端面図である。尚、図１乃至図４に示す第１の実施の形態に係る屋外設置用筐体と同一の構成及び機能を有する部分については、説明を省略する。
【００１９】
本発明に係る第２の実施の形態は、図５及び図６に示すように、筐体１の左右両側面に取り付けられた右側面日除け板７ｃ及び左側面日除け板７ａの上部、前面扉面に取り付けられた前面扉日除け板７ｂの上部に、筐体１の天井面５に係る基準面Ｂから天井板８の上面Ｊまでの段差分ｈを覆う左側面風除け部７ａ１、前面扉風除け部７ｂ１、右側面風除け部７ｃ１を日除け板７に対して斜度θ以内の関係（図６（ｂ）参照）を持たせて配するものである。斜度θは、風除け部７ｘ１が天井板８に接触して、通気性を損なわない範囲において設定しうる鉛直方向に対する風除け板７ｘ１の角度である。即ち、図６（ｂ）に示すように、左側面風除け部７ａ１を、左側面日除け板７ａに対して、筐体１の内側方向に斜度θ以内の関係を持たせて配設するものであって、上面Ｊにおける左側面風除け部７ａ１と天井板折り返し１３間に存在する間隙の幅Ｌ’と、基準面Ｂにおける左側面日除け板７ａと天井面５の端部間に存在する間隙の幅Ｌは、Ｌ＞Ｌ’の関係をとるものである。該Ｌ＞Ｌ’の関係をとることによって、左側面風除け部７ａ１と天井板折り返し１３間に存在する間隙の幅Ｌ’の減少によって、筐体１内部に侵入する風雨の総量自体を減少させることが可能である。また、左側面風除け部７ａ１が、左側面日除け板７ａに対して筐体１の内部方向に斜度θ以内の関係を有するように配されているため、斜度θの分だけ入射角が増大し、それに伴い反射角も増大するため、筐体１内部に侵入する風雨のエネルギーが分散され、筐体１内部への風雨の侵入がより一層防止される。
【００２０】
次に本発明に係る第３の実施の形態について図７及び図８を用いて説明する。図７は、本発明に係る第３の実施の形態を示す図であって、（ａ）は正面図、（ｂ）は右側面図であり、また、図８は、本発明に係る筐体の第３の実施の形態を示す図であって、（ａ）は、天井面における排気口部分を含む上面全体の図７（ｂ）のＣ−Ｃ断面図であり、（ｂ）は、雨風の侵入方向を矢印で示した（ａ）の部分拡大端面図である。尚、図１乃至図４に示す第１の実施の形態に係る屋外設置用筐体と同一の構成及び機能を有する部分については、説明を省略する。
【００２１】
本発明に係る第３の実施の形態は、図７及び図８に示すように、筐体１の左右両側面に取り付けられた右側面日除け板７ｃ及び左側面日除け板７ａの上部、前面扉面に取り付けられた前面扉日除け板７ｂの上部に、筐体１の天井面５に係る基準面Ｂから天井板８の上面Ｊまでの段差分ｈを覆う左側面風除け板１５ａ、前面扉風除け板１５ｂ、右側面風除け板１５ｃを別部材として設けるものである。また、筐体１の背面（図示せず）については、天井板８の後方に前記筐体１天井面５に係る基準面Ｂ（図示せず）から天井板８上面Ｊ（図示せず）までの段差分ｈ（図示せず）を覆う天井板後部風除け板１５ｄを別部材として設ける。
【００２２】
従って、日除け板７と風除け板１５を別部材とすることによって、強大な風雨によって、筐体１の内部に風雨の侵入が予想される地域に設置される筐体１に関してのみ、風除け板１５を設置することが可能である。
【００２３】
また、第２の実施の形態に示すような、左側面風除け部７ａ１を、左側面日除け板７ａに対して、筐体１の内側方向に斜度θ以内の関係を持たせて配設する構成（図５及び図６参照）を採用する場合においても、左側面風除け部７ａ１を別部材として、適宜、斜度θを設定して風除け板を配することも可能である。
【００２４】
次に本発明に係る第４の実施の形態について図９及び図１０を用いて説明する。図９は、本発明に係る第４の実施の形態を示す図であって、（ａ）は正面図、（ｂ）は右側面図、（ｃ）は平面図であり、また、図１０は、本発明に係る筐体の第４の実施の形態を示す図であって、（ａ）は、天井面における排気口部分を含む上面全体の図９（ｂ）のＤ−Ｄ断面図であり、（ｂ）は、雨風の侵入方向を矢印で示した（ａ）の部分拡大端面図である。尚、図１乃至図４に示す第１の実施の形態に係る屋外設置用筐体と同一の構成及び機能を有する部分については、説明を省略する。
【００２５】
本発明に係る第４の実施の形態は、図９及び図１０に示すように、筐体１の左右両側面に配された左側面風除け部７ａ１、右側面風除け部７ｃ１、天井板後部風除け部７ｄ１と天井板８を一体構造としたものであって、平面視、筐体１の左右両端に沿って矩形状の開口部１６が設けられており、最低限の通気性を確保している。
【００２６】
従って、筐体１の左右両側面に配された左側面風除け部７ａ１、右側面風除け部７ｃ１、天井板後部風除け部７ｄ１と天井板８を一体構造としたことによって、筐体１自体の強度を向上させることが可能であり、かつ、筐体１の構成部品数を減少させることによって生産性も向上する。
【００２７】
【発明の効果】
以上述べたように、本発明による風除け板を有する屋外設置用筐体は、筐体前面扉面及び両側面に対し、各々の面から隔離して設けられた日除け板の上部に筐体天井面から天井板上面までの段差を埋める風除け部を配し、さらに筐体裏面には天井板と筐体天井面との間隙を埋める風除け部を天井板に配することにより、通常の風雨における雨水の侵入を防止するだけでなく、水平方向からの雨交じりの強風に対しても防御が可能であって、筐体上面からだけでなく側面からの雨風の侵入を防ぐことが可能である。
【図面の簡単な説明】
【図１】本発明に係る第１の実施の形態を示す図であって、（ａ）は正面図、（ｂ）は右側面図、（ｃ）は平面図である。
【図２】本発明に係る第１の実施の形態を示す図であって、（ａ）は左側面図、（ｂ）は背面図である。
【図３】本発明に係る筐体の第１の実施の形態を示す図であって、（ａ）は、天井面における排気口部分を含む上面全体の図１（ｂ）のＡ−Ａ断面図であり、（ｂ）は、雨風の侵入方向を矢印で示した（ａ）の部分拡大端面図である。
【図４】本発明の第１の実施の形態を示す図であって、風除け部を有する屋外設置用筐体の斜視図である。
【図５】本発明に係る第２の実施の形態を示す図であって、（ａ）は正面図、（ｂ）は右側面図である。
【図６】本発明に係る筐体の第２の実施の形態を示す図であって、（ａ）は、天井面における排気口部分を含む上面全体の図５（ｂ）のＢ−Ｂ断面図であり、（ｂ）は、雨風の侵入方向を矢印で示した（ａ）の部分拡大端面図である。
【図７】本発明に係る第３の実施の形態を示す図であって、（ａ）は正面図、（ｂ）は右側面図である。
【図８】本発明に係る筐体の第３の実施の形態を示す図であって、（ａ）は、天井面における排気口部分を含む上面全体の図７（ｂ）のＣ−Ｃ断面図であり、（ｂ）は、雨風の侵入方向を矢印で示した（ａ）の部分拡大端面図である。
【図９】本発明に係る第４の実施の形態を示す図であって、（ａ）は正面図、（ｂ）は右側面図、（ｃ）は平面図である。
【図１０】は、本発明に係る筐体の第４の実施の形態を示す図であって、（ａ）は、天井面における排気口部分を含む上面全体の図９（ｂ）のＤ−Ｄ断面図であり、（ｂ）は、雨風の侵入方向を矢印で示した（ａ）の部分拡大端面図である。
【図１１】従来技術に係る筐体についての保護等級４（防まつ形）の規格に係る成績証明書１４Ｙ−ＪＥＴ０２０８の写しである。
【図１２】従来技術に係る筐体についての保護等級４（防まつ形）の規格に係る試験成績書０２ＴＲ−Ｙ１１０７の第１頁目の写しである。
【図１３】従来技術に係る筐体についての保護等級４（防まつ形）の規格に係る試験成績書０２ＴＲ−Ｙ１１０７の第２頁目の写しである。
【図１４】従来技術に係る筐体についての保護等級４（防まつ形）の規格に係る試験成績書０２ＴＲ−Ｙ１１０７の第３頁目の写しである。
【図１５】従来技術に係る筐体についての保護等級４（防まつ形）の規格に係る試験成績書０２ＴＲ−Ｙ１１０７の第４頁目の写しである。
【図１６】本発明の第１の実施の形態に係る筐体についての保護等級５（防噴流形）の規格に係る成績証明書１４Ｙ−ＪＥＴ０２１０の写しである。
【図１７】本発明の第１の実施の形態に係る筐体についての保護等級５（防噴流形）の規格に係る試験成績書０２ＴＲ−Ｙ１１１３の第１頁目の写しである。
【図１８】本発明の第１の実施の形態に係る筐体についての保護等級５（防噴流形）の規格に係る試験成績書０２ＴＲ−Ｙ１１１３の第２頁目の写しである。
【図１９】本発明の第１の実施の形態に係る筐体についての保護等級５（防噴流形）の規格に係る試験成績書０２ＴＲ−Ｙ１１１３の第３頁目の写しである。
【図２０】本発明の第１の実施の形態に係る筐体についての保護等級５（防噴流形）の規格に係る試験成績書０２ＴＲ−Ｙ１１１３の第４頁目の写しである。
【図２１】従来の屋外設置用筐体を示したもので、（ａ）は正面図、（ｂ）は右側面図である。
【図２２】（ａ）は、従来の屋外設置用筐体の天井面における排気口部分を含む上面全体の図２１（ｂ）のＥ−Ｅ断面図であり、（ｂ）は、雨風の侵入方向を矢印で示した（ａ）の部分拡大端面図である。
【符号の説明】
１          屋外設置用筐体
２          前面扉
３          排気口
５          天井面
６          ハンドル
７          日除け板
７ａ        左側面日除け板
７ｂ        前面扉日除け板
７ｃ        右側面日除け板
７ｄ        天井板後部日除け板
７ｘ１      風除け部
７ａ１      左側面風除け部
７ｂ１      前面扉風除け部
７ｃ１      右側面風除け部
７ｄ１      天井板後部風除け部
８          天井板
１１    排気口周囲堰
１２    堰周囲折り返し
１３    天井板折り返し
１５    風除け板
１５ａ      左側面風除け板
１５ｂ      前面扉風除け板
１５ｃ      右側面風除け板
１５ｄ      天井板後部風除け板
１６        開口部
【図１】
2004319539.tif 000003
【図２】
2004319539.tif 000004
【図３】
2004319539.tif 000005
【図４】
2004319539.tif 000006
【図５】
2004319539.tif 000007
【図６】
2004319539.tif 000008
【図７】
2004319539.tif 000009
【図８】
2004319539.tif 000010
【図９】
2004319539.tif 000011
【図１０】
2004319539.tif 000012
【図１１】
2004319539.tif 000013
【図１２】
2004319539.tif 000014
【図１３】
2004319539.tif 000015
【図１４】
2004319539.tif 000016
【図１５】
2004319539.tif 000017
【図１６】
2004319539.tif 000018
【図１７】
2004319539.tif 000019
【図１８】
2004319539.tif 000020
【図１９】
2004319539.tif 000021
【図２０】
2004319539.tif 000022
【図２１】
2004319539.tif 000023
【図２２】
2004319539.tif 000024